(57)【要約】【課題】短時間での物品の探索を実現したり、管理が容易な物品検索システムを提供する。【解決手段】信号受信部、物品に関する情報記憶部、上記信号受信部により取り込まれた検索情報と上記記憶部の記憶情報との比較する比較部及び上記比較部での比較結果により自己が検索されていることを視覚的又は聴覚的に出力する出力部とから物品取り付けタグを物品に取り付け、検索情報を含む入力装置及び検索情報を送信する信号送信部とを備えた本体制御部から特定の物品に対応した検索情報を出力させ、それに応答した上記物品取り付けタグの出力部からの視覚的又は聴覚的な表示によって簡単に当該物品を探し出す。【選択図】　　　図１
2004067323.tif 000002
【特許請求の範囲】
【請求項１】
検索情報を含む入力装置及び検索情報を送信する信号送信部とを備えた本体制御部と、
信号受信部、物品に関する情報記憶部、上記信号受信部により取り込まれた検索情報と上記記憶部の記憶情報との比較する比較部及び上記比較部での比較結果により自己が検索されていることを視覚的又は聴覚的に出力する出力部とから物品取り付けタグとを備え、
上記本体制御部の上記信号送信部を通して特定の物品に関する検索情報を送信し、それに応答した上記物品取り付けタグの出力部からの視覚的又は聴覚的な表示によって当該物品を探し出すようにしてなることを特徴とする物品検索システム。
【請求項２】
請求項１において、
上記信号送信部と信号受信部は、電波の形態での信号伝達を行うものであることを特徴とする物品検索システム。
【請求項３】
請求項２において、
上記入力装置は、音声認識により物品に関する検索情報を入力するものであり、
上記物品取り付けタグの出力部は音声合成回路を備え、音声出力を行うものであることを特徴とする物品検索システム。
【請求項４】
請求項３において、
上記本体制御部は、携帯型の電子装置により構成されるものであることを特徴とする物品検索システム。
【発明の詳細な説明】
【０００１】
【発明の属する技術分野】
この発明は、物品検索システムに関し、ランダムに収納された物品の中から特定の物品を探し出すものに利用して有効な技術に関するものである。
【０００２】
【従来の技術】
これまでクリーニング店・駐輪場などでは、ランダムに配置された対象物の探索には情報処理機器は用いず人手による対象物の探索がおこなわれていた。
【０００３】
【発明が解決しようとする課題】
例えば、クリーニング店においては、顧客からの依頼をうけると伝票発行時に品名・金額・整理番号を入力してクリーニング済の対象物に前記整理番号付きタグを付けて保管しており、多くの顧客の対象物があるとその中からタグを手がかりに特定顧客のものを探す時に時間がかかるという問題があった。また駐車場においても同様な問題があった。
【０００４】
この発明の目的は、短時間での物品の探索を実現した物品検索システムを提供することにある。この発明の他の目的は、管理が容易な物品検索システムを提供することにある。この発明の前記ならびにそのほかの目的と新規な特徴は、本明細書の記述および添付図面から明らかになるであろう。
【０００５】
【課題を解決するための手段】
本願において開示される発明のうち代表的なものの概要を簡単に説明すれば、下記の通りである。信号受信部、物品に関する情報記憶部、上記信号受信部により取り込まれた検索情報と上記記憶部の記憶情報との比較する比較部及び上記比較部での比較結果により自己が検索されていることを視覚的又は聴覚的に出力する出力部とから物品取り付けタグを物品に取り付け、検索情報を含む入力装置及び検索情報を送信する信号送信部とを備えた本体制御部から特定の物品に対応した検索情報を出力させ、それに応答した上記物品取り付けタグの出力部からの視覚的又は聴覚的な表示によって当該物品を探し出す。
【０００６】
【発明の実施の形態】
図１には、本発明に係る物品探索システムの一実施例の構成図が示されいてる。同図において、１は音声認識合成部、２は顧客名検索／選択＆顧客名コード取得部、３は無線送信部であり、携帯型音声入力装置（本体）６を構成する。これに対して、４は無線受信部、５は音声合成部であり、小型チップタグ７を構成する。
【０００７】
上記小型チップタグ７は、後述するようにランダムに収納される物品に一対一に対応して取り付けられる。上記無線受信部には、無線により送信された検索情報を受信するこけとの他、それが取り付けられる物品に関する前記顧客名、顧客コード等の物品情報を記憶する記憶部と、かかる記憶部に記憶された物品情報と、上記無線受信部から受信された検索情報との比較を行う比較部を備える。この比較一致信号は、上記音声合成部に伝えられて音声信号として検索情報の存在を出力させる。
【０００８】
図２には、この発明に係る物品検索システムによる検索方法の説明図が示されている。８は店主、９は保管ケース、１０が対象となる物品である。保管ケース９には、複数の物品１０がランダムに保管されている。店主８は、上記携帯型音声入力装置を操作し、探し出したい物品の検索情報を無線により送信する。すると、保管ケース１０に保管されている多数の物品の中から１つが音声により探し出したい物品の存在場所を表示する。
【０００９】
図３には、携帯型音声入力装置の一実施例の外観図が示されている。６１は内蔵マイク、６２はトーク釦、６３は内蔵スピーカ、６４はアンテナ、６５は本体筐体である。
【００１０】
図４には、小型チップタグの一実施例の外観図が示されている。小型チップタグ７は、検索の物品の対象物１０に対して一対一に取り付けられている。
【００１１】
対象物探索システムの応用例としては、クリーニング店、駐輪場、飲食店等保管物がランダムに配置されている場合である。例えば、クリーニング店で特定の利用顧客の依頼物を探索する手順を例にして発明を説明する。
【００１２】
本システム使用時、店員が店にきた顧客の名前を聞き携帯型音声入力装置により顧客名を発声・認識することで探索したい特定顧客の選択を行い、該当認識結果に対応する顧客名コードを取得する。次いで、携帯型音声入力装置に内蔵された無線送信部から当該顧客名コードを送信する。
【００１３】
図２のように店内（保管ケース９）に保管されている対象物（クリーニング済の衣類）１０に取りつけられた小型チップタグ７の無線受信部が顧客名コードを受けて音声合成部により対応する顧客名を読上げる。これにより、長い時間をかけて探すことなく特定利用顧客の依頼物を見つける事が出きる。
【００１４】
上記手順において、携帯型音声入力装置による顧客名の音声認識時に認識誤りもありうるので、認識結果を前記装置内蔵の音声合成部から出力して認識結果の確認を行う。結果が正しい場合には該当する顧客名コードを無線送信し、誤りの場合は再度顧客名を発声する。
【００１５】
この実施例は、携帯型音声入力装置を用いた日本語単語音声認識による顧客名検索、音声合成による顧客名認識結果確認、該当顧客名コード取得、無線送信部による該当顧客コード送信、小型チップタグ内の無線受信部による顧客名コード受信及び音声合成による該当顧客名の発声である。
【００１６】
次に、飲食店で特定の利用顧客の依頼物を探索する手順を例にして説明する。図２に見られるように保管ケース９に保管された対象物（例えば瓶）１０は何の規則性もなくランダムにおかれているので特定の顧客の対象物を探すのに手間がかる。その中でも一列目でなく２列目あるいは３列目に置かれた対象物は重なってしまうため特に探索しにくい。
【００１７】
本発明の物品検索システムでは該当顧客が店に来た時に、店主８が図３の携帯型音声入力装置の本体筐体６５を手にもち、トーク釦６２を押すことで音声入力許可状態としてその顧客の名前を発声する。図１の場合、顧客が「佐藤さん」の場合を想定して記述しているので以下それにしたがって説明する。
【００１８】
店主８はトーク釦６２を押したあと内蔵マイク６１に向けて「佐藤さん」と発声する。この発声を受けた図１の携帯型音声入力装置６は音声認識合成部１内の音声認識部により顧客名を認識して音声認識合成部１内の音声合成部によって認識結果を「佐藤さんですね」と内蔵スピーカ６３から音声出力して正しく認識されたかを店主８に確認させる。
【００１９】
結果が正しいときには図１に示したように店主８はマイク６１に向けて「はい」と発声する。誤った場合は「いいえ」と発声して再度音声入力を行う。ここで結果が正しいので店主が発声した「はい」という言葉を携帯型音声入力装置６の音声認識合成部１内の音声認識部で認識することで、携帯型音声入力装置６の顧客名検索選択＆顧客名コード取得部２でえられた当該顧客に対応した顧客名コードを前記装置６内の無線送信部３及びアンテナ６４を介して小型チップタグ７内の無線受信部４に顧客名コードを送信する。
【００２０】
小型チップタグ７内の無線受信部４では前記顧客名コードを受信して小型チップタグ７内の音声合成部５に該当コードを送る。結果として、前記音声合成部５から「ここに佐藤さんのものあります」と出力される。店主８は顧客名を発声するだけで図２のように音のするところにいけば特定の利用顧客の対象物を取り出せる。上記小型チップタグ７は対象物１０に図４に示すようにとりつけられる。
【００２１】
またそれぞれの対象物１０には、事前に書きこみ装置により顧客に対応したコードが記録された小型チップタグ７がつけられており、無線送信部３から送られたコードとの照合をとり選択されたか否かを判別する。また、事件に小型チップタグ７を物品毎に逐一用意するのは、使い勝手が悪いときには、何も物品情報が記憶されていない小型チップタグ７を物品に取り付け、前記携帯型音声入力装置６から前記音声入力により顧客名検索選択＆顧客名コード等を記憶させるようにしてもよい。
【００２２】
また、同性同名による物品検索の誤りを回避するために、氏名による検索の他に管理コードで入力及び検索するようにしてもよい。例えば、クリーニング店では、同性同名で誤って別人に衣類を渡してしまうことがないように、受け取り票のコードによる検索を行うようにしてもよい。この場合、携帯型音声入力装置６に数字ボタンを設けて数字による顧客名コードを小型チップタグ７の記憶部に記憶させるようにしてもよい。
【００２３】
音声認識・合成のソフトウエアはカーナビゲーション製品において音声認識による目的地の入力、音声合成による目的地までの経路案内に数多く適用されており、最近ではロボットとの会話、家電製品の操作ガイダンス、防災システムによる警報メッセージ出力等にも使われ出している。本発明はこの音声認識・合成ソフトウエアを利用して、クリーニング店・駐輪場等で多くの対象物の中から特定の利用顧客のものを探しだすときの煩わしさを解決することができる。
【００２４】
本発明では、無線送信部、音声認識合成部等を搭載する携帯型音声入力装置により管理人あるいは店員が顧客名を入力して、その顧客名データを対象物まで無線で送信することによってランダムに配置されている対象物に取り付けられてた無線受信部・音声合成部搭載の小型チップタグにより受信して該当顧客の対象物が例えば「ここに佐藤のものがあります」等と音声出力することにより、簡単に特定の利用顧客のものを探し出すことができる。
【００２５】
日本語の単語を発声するだけで顧客名をすばやく検索・選択でき、顧客名に対応したコードを取得して受信側に送信できるので特定利用顧客の依頼物を探索するのに多大な時間を要したり誤ったものを選択してしまうという問題がなくなる。上記送信側の携帯型音声入力装置による顧客名音声認識、顧客名検索・選択、顧客名コード取得、当該コード無線送信、小型チップタグ内蔵無線受信部による前記コード受信および音声合成部による利用顧客名の音声出力により上記物品検索が達成される。
【００２６】
以上本発明者よりなされた発明を実施例に基づき具体的に説明したが、本願発明は前記実施例に限定されるものではなく、その要旨を逸脱しない範囲で種々変更可能であることはいうまでもない。例えば、小型チップタグは、音声信号によるものの他に聴覚的には電子音、視覚的には発光ダイオード等を点灯あるいは点滅により検索物品の保管場所を表示させるものであってもよい。上記検索情報等の信号伝達は、前記無線（電波）によるもの他、音波あるいは赤外線等の光を用いるものであってもよい。この発明は、物品検索システムに広く利用することができる。
【００２７】
【発明の効果】
本願において開示される発明のうち代表的なものによって得られる効果を簡単に説明すれば、下記の通りである。信号受信部、物品に関する情報記憶部、上記信号受信部により取り込まれた検索情報と上記記憶部の記憶情報との比較する比較部及び上記比較部での比較結果により自己が検索されていることを視覚的又は聴覚的に出力する出力部とから物品取り付けタグを物品に取り付け、検索情報を含む入力装置及び検索情報を送信する信号送信部とを備えた本体制御部から特定の物品に対応した検索情報を出力させ、それに応答した上記物品取り付けタグの出力部からの視覚的又は聴覚的な表示によって簡単に当該物品を探し出すことができる。
【図面の簡単な説明】
【図１】本発明に係る物品探索システムの一実施例を示す構成図である。
【図２】この発明に係る物品検索システムによる検索方法の説明図である。
【図３】図１の携帯型音声入力装置の一実施例を示す外観図である。
【図４】図１の小型チップタグの一実施例を示す外観図である。
【符号の説明】
１…音声認識合成部、顧客名検索／選択＆顧客名コード取得部、３…無線送信部、４…無線受信部、５…音声合成部、６…携帯型音声入力装置、７…小型チップタグ、８…店主、９…保管ケース、１０…対象物（物品）、６１…マイク、６２…トーク釦、スピーカ、６４…アンテナ、６５…本体筐体。
【図１】
2004067323.tif 000003
【図２】
2004067323.tif 000004
【図３】
2004067323.tif 000005
【図４】
2004067323.tif 000006